(57)【要約】      （修正有）【課題】安定してバイオリンを支えることができ、かつ関節痛等のおそれが少なくなり、かつ、支え部の共振等による雑音発生の懸念もないバイオリンの肩当てを提供する。【解決手段】バイオリン脱落防止と、肩凝りや肩関節痛あるいは頚椎痛の防止のため、肩当て底面に肩周辺と柔かく接触する肩クッション部１６と胸の急傾斜面でバイオリンの荷重モーメントを支える滑り止めネット部１７を構成し、バイオリン荷重を肩クッション部１６から胸の急傾斜面で支える滑り止めネット部１７まで分散すると共に演奏中に身体を拘束する事無く支える。【選択図】図１
0003167469.tif 000002
【実用新案登録請求の範囲】
【請求項１】
バイオリン肩当てにおいて、バイオリン裏板を左右から挟んで支える引掛けフックおよび引掛けフックの脱落防止機構を具備し、左右の各引掛けフックの下端にはブラケットを具備し、左右のブラケットの下端には左右の間を細長く連結する肩当て本体を具備し、ブラケットの内部には肩当て本体の傾斜角度を調整する自律的回動機構を具備し、肩当て本体の最上部で両端にブラケットを締結するに必要な強度を備えた特定素材の薄板で肩から胸を覆う細長い天板を具備し、天板を天板裏で構造強度的に支える適度に丈夫な肩当て梁を具備し、肩当て梁の構成として、天板と同形状の上面を有し、鎖骨から大胸筋鎖骨部に接触し荷重を柔かく受ける肩クッション部の土台となる細長い箱形部と、細長い箱形部の底面に対し湾曲し捻じれる方向の胸の急傾斜面に密着する急傾斜底面を備えた三角柱形部とで肩当て梁を構成し、肩当て梁の内部は柔軟素材を充填する構成とし、丈夫な肩当ての外殻（細長い箱形部とそれに連なる三角柱形部の腕に面した肩当て梁外壁面を構成する丈夫な外殻と、細長い箱形部の四角形端面および首側外壁面を構成する丈夫な外殻と、三角柱形部の急傾斜底面および三角形端面を構成する丈夫な外殻）は音響雑音の出ない特定素材で構成し、肩当て底面（細長い箱形部の底面と三角柱形部の底面を連ねた底面）の上に接合する部品として肩当て底面シートを具備し、肩当て底面シートの内部構成として、細長い箱形部の上に特定素材で構成した肩クッションを配設すると共に三角柱形部の急傾斜底面の上に特定素材で構成した滑り止めネット部を連結して配設した肩当て底面シートを肩当て梁の底面の上に交換可能に接合する事を特徴とするバイオリン肩当て。
【請求項２】
実用新案請求項（１）の引掛けフックとして、各々の引掛けフックの両端にバイオリン裏板の縁に引掛ける鈎と、鈎を両端に配設した鈎基板を具備し、鈎基板には肩当て本体側に突き出るオネジ部を具備し、引掛けフックのオネジ部と連結するブラケットを具備し、ブラケットには引掛けフックのオネジ部と嵌合するメネジ部を具備し、実用新案請求項（１）の引掛けフックの脱落防止機構として、三種類の脱落防止機構を有し、引掛けフックの第一の脱落防止機構として、天板中央に配設した輪ゴム留め具を具備し、引掛けフックの両端に輪ゴム留め鈎を具備し、第一の輪ゴムの一端を天板の輪ゴム留め具に締結し、第一の輪ゴムの他端を引掛けフックの片側の輪ゴム留め鈎に係留する構造とし、引掛けフックの第二の脱落防止機構として、引掛けフックの鈎基板を挟んで摺動する二股楔板を具し、二股楔板の内部構造として、二股楔板の表面に形成された楔面と、鈎基板を二股楔板の裏で挟む二股裏板と、二股楔板の内側で鈎基板の上を摺動する摺動面と、二股の表裏を連結する端末内面に取り付け鈎基板の端面を押す板バネと、バイオリン裏板の縁を引掛けフックの鈎と二股楔板の楔面で掴む構造とし、引掛けフックの第三の脱落防止機構として、第二の輪ゴム一端を天板中央の輪ゴム留め具に締結し、エンドピンに第二の輪ゴム他端を係留し、肩当てが脱落してもエンドピンに垂下し落下を防止する構造を特徴とする三種類の脱落防止機構を具備する事を特徴とするバイオリン肩当て。
【請求項３】
実用新案請求項（１）の自律的回動機構として、外力が作用しないと閉まるスプリング蝶番を具備し、スプリング蝶番の関節を天板の湾曲の外側（首側と反対側）に向け、スプリング蝶番２個の一方の翼を天板両端の各々に結合し、スプリング蝶番の他方の翼に引掛けフックのブラケットを結合して構成するか、スプリング蝶番の捩りコイルバネの代わりに実用新案請求項（２）の引掛けフックの脱落防止機構事における第一の輪ゴムおよび第二の輪ゴムにより自律的回動機構の動力を兼用し、スプリング蝶番の代わりに単なる蝶番を具備するか、または引掛けフックのブラケットにスプリング蝶番と同方向に回転する回転軸を内蔵する事を特徴とするバイオリン肩当て。
【請求項４】
実用新案請求項（１）の天板と、丈夫な肩当て外殻（細長い箱形部とそれに連なる三角柱形部の腕に面した肩当て梁外壁面を構成する丈夫な外殻と、細長い箱形部の四角形端面および首側外壁面を構成する丈夫な外殻と、三角柱形部の急傾斜底面および三角形端面を構成する丈夫な外殻）に適用する音響雑音を出さない特定素材として、カリン等の硬質木材または類似物性の合成樹脂あるいは制振合金等を音響雑音を出さない厚さ数ｍｍ以下に成形した薄板、または固有振動数がバイオリン最低音より低くなる硬さに可塑化した合成樹脂を成形した薄板を組合せて構成し、更に肩当て梁の最外殻を皮や布地あるいは丈夫な包装フィルムで被覆して構成を特徴とするバイオリン肩当て。
【請求項５】
実用新案請求項（１）の肩当て底面シートにおいて、肩当て底面と同形状で可撓性の合成樹脂で構成した薄い基板シートを具備し、基板シートの表側に二種類の機能部品を配設して肩当て底面シートを構成し、第一の部品として鎖骨から大胸筋鎖骨部を緩衝素材で柔かく覆う肩クッション部を基板シートの表側に接合し、第二の部品として合成樹脂の丈夫な芯糸で編んだネットに滑り止め効果の出る程度に可塑化した塩化ビニール等を被覆したネットを肩クッション部の残りの基板シート上に接合して滑り止めネット部を構成し、肩クッション部と滑り止めネット部を連結した肩当て底面シートを具備する事を特徴とするバイオリン肩当て。
【請求項６】
実用新案請求項（１）のバイオリン肩当てに対応するバイオリン顎当てとして、滑り難い布地で構成した第一の四角形布地（顎当て全体を覆う大布地）を具備し、第一の四角形布地の一角を挟む二辺と第二の四角形布地（一辺数ｃｍの小布地）の一角を挟む二辺を重ね合わせて縫合して形成した小袋を具備し、第一の四角形布地において小袋と対角の角に一端を縫合した第一の輪ゴムを具備し、前記の小袋を顎当て先端に引掛け、エンドピン側の顎当て端面に第一の輪ゴムの縫合部を合わせて、第一の輪ゴムをエンドピンに掛けて顎当て端の裏に引回して着脱可能に顎当てに被せる構成とし、第一の四角形布地の顎当て両側面から裏に垂れ下がる二辺の中間部と前記の小袋の宙に浮いた角の合計三か所に第二の輪ゴムの三位置を縫合し、第二の輪ゴムを顎当て裏面に回して、第一の四角形布地の顎当ての宙に浮いた裏側の布地を張る構成の顎当て被覆布を有する事を特徴とするバイオリン顎当て。
【考案の詳細な説明】
【技術分野】
【０００１】バイオリンの顎当てを顎で軽く押し付けるだけで力まず全身を脱力してバイオリンを構える事は、ビブラートを始め高度の演奏技巧に必須である状況に鑑み、肩当てを肩関節に触らず鎖骨から大胸筋鎖骨部の緩傾斜面で支えると共に胸の急斜面でバイオリンの荷重モーメントを支える構造が未解決であり、また、肩関節周辺の筋肉の痛みや腱鞘炎あるいは頚椎痛み等を防止する技術が未解決であり、更に、バイオリンの音響を阻害する肩当てから発生する音響雑音の解消が未解決であり、以上の解決が発明の技術分野である。
【背景技術】
【０００２】バイオリン本体はイタリア人アマティ等により１６００年代に完成後、バイオリン名器の豊かな音響に魅了される演奏家は多いが１８世紀後半の産業革命と共に高度の木工職人の名人技が廃れてストラディバリ等の豊かな音響を具備するバイオリンは製作できなくなり、一方、バイオリン顎当てはルイ・シュポーアにより１８００年代に発明され、バイオリン肩当ては、メニューインにより２０世紀に発明された。図２に、バイオリンへの顎当て及び肩当ての装着状態を示す。それぞれ改良が続きバイオリン演奏技術向上に貢献し、バイオリン顎当ては、ほとんどの演奏者が使用するほど普及したが、肩当ては、脱力し難い構造や音響雑音を発生する等の不満が原因で、肩当てを使用する代わりに、特殊材質の布地を適度に折り畳み、顎当て上から肩にかけて巻き付けて演奏する人の多い状況に鑑み、本発明により肩当ての完成が望まれる技術分野である。
【先行技術文献】
【特許文献】
【０００３】
【特許文献１】  （特許公開２００８−０６４７９６）は、日本の本発明に無関係な機構特許。
【特許文献２】  （特許公開  平０７−２７１３５２）は、ＫＵＮ社の本発明に無関係な機構特許。
【特許文献３】  （特許公表２００６−５１４３３２）は、ＫＵＮ社の本発明に無関係な機構特許。
【特許文献４】  （特許公表２００６−５１４３３１）は、ＫＵＮ社の本発明に無関係な機構特許。
【特許文献５】  （特許公表２００４−５０２９７５）は、米国の本発明に無関係な機構特許。
【考案の概要】
【考案が解決しようとする課題】
【０００４】
【課題１】
バイオリン裏板を左右から掴む引掛けフック１対の間をバイオリン裏板と一定隙間を隔てて細長く連結する種類の従来肩当ては、鎖骨から大胸筋鎖骨部を単純な平坦底面形状で支えるため、胸の急傾斜面において人体側の肩当て縁の端末が胸に不安定に接触するため、従来肩当ては（肩当ての人体との接触点から顎までの距離）が短くなり、バイオリンの荷重モーメント式において
（バイオリンの荷重モーメント）＝（肩当ての人体との接触点から顎までの距離）
×（顎に作用するバイオリンを支える力）となるため、
従来肩当ての（顎に作用するバイオリンを支える力）が大きくなり肩凝りや肩関節痛になり易いとか、単純な底面を顎で過剰に押えて頚椎痛になるとか、胸の急傾斜面で支えないためバイオリンが滑落し易く演奏中の脱力が難しくなる状況に鑑み、本発明により、鎖骨から大胸筋鎖骨部を肩クッション部で柔かく支えると共に、鎖骨から大胸筋鎖骨部の傾斜面に対し湾曲し捻じれて連なる胸の急傾斜面においても密着する肩当て底面を形成し、（肩当ての人体との接触点から顎までの距離）を大きくし、（顎に作用するバイオリンを支える力）を小さくする事が課題である。
【課題２】
従来の肩当ては、バイオリンの引掛けフックがバイオリン裏板の縁を挟む機構と縁の間に隙間が生じ縁をしっかり掴めず脱落し易い構造であり、また従来の引掛けフックはバイオリン裏板の縁に装着時押し付ける以外脱落を防止する措置が無く、演奏中肩当てを少しでも揺らすと緩み脱落し易く、特に、肩凝りや関節痛および頚椎痛等を防止するために肩当てを肩関節に触らず鎖骨から大胸筋鎖骨部の上を中心に支えるには、肩当て位置を首の近くに寄せるため、左右の引掛けフックの間隔を短くしてバイオリン裏板の縁を掴む位置がエンドピンに近くなり、従来肩当てでは一層脱落し易くなる事情に鑑み、本発明により、引掛けフックにバイオリン裏板の縁を掴む把持機構と、引掛けフックをバイオリン裏板の縁に押付ける機構と、引掛けフックが外れても肩当ての落下を防止する機構を配設する事が課題である。
【課題３】
従来の肩当ては、鎖骨から大胸筋鎖骨部を中心にバイオリン荷重を受ける構造で、胸の急傾斜面ではほとんど荷重を受けない構造に鑑み、本発明により、両端のブラケットと肩当て本体の傾斜角度を自律的に調整する自律的回動機構を配設し、肩当て底面の先端が胸の急傾斜面に着地すると、肩当ての底面が胸の急傾斜面に密着するまで自律的に回動し、バイオリン荷重モーメントを肩関節に触らず鎖骨から大胸筋鎖骨部で受けると共に胸の急傾斜面でも受ける機構にする事が課題である。
【課題４】
従来の肩当ては、バイオリン音響に肩当ての雑音振動を混ぜ作為的に音響振動を増加させた肩当て、あるいは非作為的に音響雑音を発生する肩当てが多くあり、バイオリンが発生する本物の音響を妨害し肩当てを使用しない演奏家が多い状況に鑑み、本発明により、肩当てに伝導したバイオリン音響に対し音響雑音の原因となる天板および丈夫な肩当ての外殻（細長い箱形部とそれに連なる三角柱形部の腕に面した肩当て梁外壁面を構成する丈夫な外殻と、細長い箱形部の四角形端面および首側外壁面を構成する丈夫な外殻と、三角柱形部の急傾斜底面および三角形端面を構成する丈夫な外殻）を音響雑音の出ない素材にする事が課題である。
【課題５】
従来の顎当ては、肩当てと異なり木製または同品質の合成樹脂素材のため、本発明の肩当てにより、顎当てを押す力が小さく済むと共に身体の脱力が可能になる副作用として、人体の顎の汗や脂肪によりバイオリンが滑落し易くなるため、顎当てに滑り止め素材の布地を被覆すると共に簡便な着脱機構の提供が課題である。
【課題を解決するための手段】
【０００５】
【手段１】
従来肩当ては、鎖骨から大胸筋鎖骨部で主に支える単純な底面形状のため胸の急斜面では人体側の肩当ての縁だけが胸に不安定に接触する構造のため、バイオリン荷重モーメントの理論式で（肩当ての人体との密着位置から顎までの最大距離）を遠くすると（顎に作用するバイオリンを支える力）を小さく出来るが、副作用で、肩当てを載せる位置が鎖骨より外の肩関節に触り肩凝りや関節痛および頚椎痛が発症するので、この課題を解決するため、本発明により、バイオリン裏板を左右から挟み支える各引掛けフックの下端にはブラケットを具備し、左右のブラケットの下端には左右の間を細長く連結する肩当て本体を具備し、肩当て本体の最上部で両端にブラケットを締結するに必要な強度を備えた特定素材の薄板で肩から胸を覆う細長い天板を具備し、天板を天板裏で構造強度的に支える適度に丈夫な肩当て梁を具備し、肩当て梁の構成として、天板と同形状の上面を有し、鎖骨から大胸筋鎖骨部に接触し荷重を柔かく受ける肩クッション部の土台となる細長い箱形部と、細長い箱形部の底面に対し湾曲し捻じれる方向の胸の急傾斜面に密着する急傾斜底面を備えた三角柱形部とで肩当て梁を構成し、肩当て梁の内部は柔軟素材を充填する構成とし、丈夫な肩当ての外殻（細長い箱形部とそれに連なる三角柱形部の腕に面した肩当て梁外壁面を構成する丈夫な外殻と、細長い箱形部の四角形端面および首側外壁面を構成する丈夫な外殻と、三角柱形部の急傾斜底面および三角形端面を構成する丈夫な外殻）は音響雑音の出ない特定素材で構成し、肩当て底面（細長い箱形部の底面と三角柱形部の底面を連ねた底面）の上に接合する部品として肩当て底面シートを具備し、肩当て底面シートの内部構成として、鎖骨から大胸筋鎖骨部を細長い箱形部の上に特定素材で覆う肩クッションに加え、胸の急傾斜面で荷重モーメントに対抗する急傾斜底面の上に特定素材で構成した滑り止めネット部を連結して配設した肩当て底面シートを形成し、肩当て底面シートを肩当て梁の底面の上に交換可能に接合し、肩当ての荷重を受ける中心を（鎖骨から大胸筋鎖骨部を覆う肩クッション部）から（胸の急傾斜面を覆う滑り止めネット部）方向に分散して、顎当てを押さえる力を小さくしても、演奏中に身体を拘束する事無く支えると共に身体を脱力可能にする手段を提供する。
【手段２】
従来肩当ての引掛けフックにおいて、バイオリン裏板の縁を挟む隙間が固定距離のため脱落し易い課題と、バイオリン裏板の縁に装着時押し付ける措置だけのため脱落し易い課題と、特に、関節痛等の防止のために肩当てを肩関節に触らず鎖骨から大胸筋鎖骨部を支えるために肩当て位置を首の近くに寄せる措置の結果、左右の引掛けフックの間隔を短くしてバイオリン裏板の縁を掴む位置をエンドピンに近付け、脱落し易くなる課題を解決するため、本発明により、引掛けフックの脱落防止機構を具備し、引掛けフック先端をバイオリン裏板の縁に常時押し付ける第一の脱落防止手段と、引掛けフックの鈎基板の上に配設した二股楔板でバイオリン裏板の縁を確実に掴む第二の脱落防止手段と、エンドピンに輪ゴムで肩当て本体を係留する第三の脱落防止手段を組合せ、肩当て脱落の危険を解消する手段を提供する。
【手段３】
肩当てに掛る荷重を（鎖骨から大胸筋鎖骨部を覆う肩クッション部）から（胸の急傾斜面を覆う滑り止めネット部）に分散しバイオリン滑落の危険を解消すると共に身体脱力を可能にするために、肩当て底面の滑り止めネット部を胸の急傾斜面に密着させる課題を解決するため、本発明により、ブラケット内部には肩当て本体の傾斜角度を調整する自律的回動機構を具備し、天板とブラケットの間をスプリング蝶番で接続し、肩当て底面が空中では胸に対し爪先立ちになり、肩当て底面が胸の急傾斜面に接触すると、胸に密着するまで自律的に回動する手段を提供する。
【手段４】
バイオリンが発生する本物の音響を、肩当て音響雑音が妨害する課題を解決するため、本発明により、肩当て本体最上部の天板と、丈夫な肩当ての外殻（細長い箱形部とそれに連なる三角柱形部の腕に面した肩当て梁外壁面を構成する丈夫な外殻と、細長い箱形部の四角形端面および首側外壁面を構成する丈夫な外殻と、三角柱形部の急傾斜底面および三角形端面を構成する丈夫な外殻）に用いる素材として、カリン等の硬質木材または類似物性の合成樹脂あるいは制振合金等を音響雑音の出ない厚さ数ｍｍ以下に成形した薄板、またはバイオリンより低音音響になる硬さに可塑化した合成樹脂を成形した薄板を組合せ、更に肩当て梁の最外殻を皮や布地あるいは丈夫な包装フィルムで被覆して構成し、バイオリンの音響を肩当て音響雑音で妨害しない手段を提供する。
【手段５】
バイオリンの荷重モーメント式の（顎に作用するバイオリンを支える力）を従来の肩当てより小さくする副作用として、顎当てにおいて顎の汗や脂肪でバイオリンが滑落し易くなるため、本発明により、顎当てに簡便に着脱可能できる被覆布地を構成し、顎の汗や脂肪でバイオリンが滑落するのを防止する手段を提供する。
【考案の効果】
【０００６】
【効果１】
本発明における、肩当て底面を肩関節に触らず鎖骨から大胸筋鎖骨部を肩クッション部で覆うと共に胸の急傾斜に密着する滑り止めネット部を構成し、捻じれ角度関係にある肩クッション部と滑り止めネット部の二面でバイオリンを支える構造と、ブラケットと肩当て本体の傾斜角度を自律的に調整する自律的回動機構を配設する事により、（肩当ての人体との接触点から顎までの距離）を従来肩当てより遠くでき、肩当ての顎から胸の密着点までの最大距離を従来の肩当てより大きくし、荷重モーメント式の（顎に作用するバイオリンを支える力）を小さくする事で、顎当てを支える顎の力を最小にする効果、演奏中に身体を拘束する事なくバイオリンを安定して支える効果、身体の脱力と敏捷操作を可能にする効果、鎖骨から大胸筋鎖骨部で受ける荷重を和らげ肩懲りや肩関節痛および頚椎痛を防止する効果がある。
【効果２】
本発明における、肩当ての引掛けフックにおいて、引掛けフックに三種類の脱落防止機構を構成し、第一の脱落防止機構として、第一の輪ゴムの一端を引掛けフックの片方の輪ゴム留め鈎に係留し、第一の輪ゴムの他端を天板中央の留め具に締結して構成し、第二の脱落防止機構として、バイオリン裏板の縁を数ｃｍ離れた２個の鈎で引掛け、２個の鈎の間に二股楔板を配設し、鈎と二股楔板でバイオリン裏板の縁を掴む機構を構成し、第三の脱落防止機構として、エンドピンに第二の輪ゴムの一端を係留し、第二の輪ゴム他端を肩当て本体の中間に位置する留め具に締結する構成にする事により、肩関節に触らず肩当て位置を首の近くに寄せて、肩懲りや肩関節痛および頚椎痛の発症を防止するために、左右の引掛けフックの間隔を短くしてバイオリン裏板の縁を掴む位置がエンドピンに近くなっても、脱落し難くすると共に、万一、脱落しても肩当てがエンドピンに垂下する事で、肩当て脱落の危険を解消する効果がある。
【効果３】
本発明における、両端のブラケットと肩当て本体の傾斜角度を自律的に調整する自律的回動機構において、天板と両端のブラケットを接続するスプリング蝶番を配設する事により、肩当て外壁面の先端が胸の急傾斜面に着地するまで爪先立ちし、肩当て底面の先端が胸の急傾斜面に着地後は、バイオリン荷重によりスプリング蝶番が回動し、肩当て底面全体を胸の急傾斜面に密着させる効果がある。
【効果４】
本発明における、肩当て本体最上部の天板および丈夫な肩当ての外殻（細長い箱形部とそれに連なる三角柱形部の腕に面した肩当て梁外壁面を構成する丈夫な外殻と、細長い箱形部の四角形端面および首側外壁面を構成する丈夫な外殻と、三角柱形部の急傾斜底面および三角形端面を構成する丈夫な外殻）に用いる素材として、カリン等の硬質木材または類似物性の合成樹脂あるいは制振合金等を音響雑音を出さない厚さ数ｍｍ以下に成形した薄板、またはバイオリンより低音音響になる硬さに可塑化した合成樹脂を成形した薄板を組合せ、更に肩当て梁の最外殻を皮や布地あるいは丈夫な包装フィルムで被覆して構成する事により、引掛けフックを経由して伝導したバイオリン音響に対し肩当てから音響雑音を出さなくする効果がある。
【効果５】
本発明における、顎当てに被せる被覆布地を、顎当てを覆う四角形布地の一角に縫合した小袋を顎当て先端に引掛け、被覆布の他端の輪ゴムを顎当て周囲に廻して留める構成にする事により、顎当てを仲介して肩当てを押し付ける力を小さくする副作用として、顎の汗や脂肪により顎当てからバイオリンが滑落し易くなる危険の増大に対し、被覆布地の滑り止め効果により滑落の危険を解消する効果がある。
【図面の簡単な説明】
【０００７】
【図１】肩当て外形図
【図２】肩当てのバイオリン装着図
【図３】肩当て使用状況図
【図４】肩当て正面図
【図５】肩当ての平面図（図４のａ−ａ断面）
【図６】天板の外形図
【図７】肩当て梁内部の外形図
【図８】図９の上平面図
【図９】肩当て外殻の正面図
【図１０】図９の右側面図
【図１１】図９の左側面図
【図１２】図１３の上平面図（肩当て底面シート（１５）の肩当て底面（１１）への接合面を示す図。図１２の図示方向は、図５を１８０度時計回転した図と同じ方向の図。但し、肩当て底面シート（１５）を肩当て底面（１１）の三次元形状に合わせ捻って接合する前の平坦な上平面図。）
【図１３】肩当て底面シート（１５）の正面図
【図１４】図１３の下平面図（肩当て底面シート（１５）の身体接触側の図。図１４の図示方向は、図５を１８０度時計回転し、裏から見た図と同方向の図。但し、肩当て底面シート（１５）を肩当て底面（１１）の３次元形状に合わせ捻って接合する前の平坦な下平面図。）
【図１５】肩当て本体（３）の自律的回動機構の胸着地前説明図
【図１６】肩当て本体（３）の自律的回動機構の胸密着説明図
【図１７】スプリング蝶番（８）の外形図
【図１８】引掛けフック（２）の外形図
【図１９】鈎基板（３２）の外形図
【図２０】二股楔板（５）の正面図
【図２１】二股楔板（５）の下平面図
【図２２】二股楔板（５）の右側面図
【図２３】顎当て被覆布（２４）の外形図
【図２４】顎当て被覆布（２４）のバイオリン装着図
【考案を実施するための形態】
【０００８】本発明のバイオリン肩当ては、バイオリン裏板を左右から挟んで支える引掛けフックおよび引掛けフックの脱落防止機構を具備し、左右の各引掛けフックのネジにはブラケットを嵌合し、左右のブラケットの下端には左右の間を細長く連結する肩当て本体を具備し、ブラケットの内部には肩当て本体の傾斜角度を調整する自律的回動機構を具備し、肩当て本体の最上部で両端にブラケットを結合するに必要な強度を備えた特定素材の薄板で肩から胸に沿い細長い形状の天板を具備し、天板裏で天板が折れない様に支える丈夫な構造の肩当て梁を具備し、肩当て梁の構成として、天板と同形状の上面を有し、鎖骨から大胸筋鎖骨部に接触し荷重を受ける肩クッション部の土台となる細長い箱形部と、細長い箱形部の底面に対し湾曲し捻じれる方向の胸の急傾斜面に密着する急傾斜底面を備えた三角柱形部とで肩当て梁を構成し、肩当て梁の内部を柔軟素材で充填する構成とし、丈夫な肩当ての外殻（細長い箱形部とそれに連なる三角柱形部の腕に面した肩当て梁外壁面を構成する丈夫な外殻と、細長い箱形部の四角形端面および首側外壁面を構成する丈夫な外殻と、三角柱形部の急傾斜底面および三角形端面を構成する丈夫な外殻）を音響雑音の出ない特定素材で構成し、肩当て底面（細長い箱形部の底面と三角柱形部の底面を連ねた底面）の上に接合する機能部品として肩当て底面シートを具備し、肩当て底面シートの内部構成として、細長い箱形部の上に特定素材で構成した肩クッション部を配設すると共に三角柱形部の急傾斜底面の上に特定素材で構成した滑り止めネット部を連結して配設した肩当て底面シートを肩当て梁の底面の上に交換可能に接合する。引掛けフックの内部構造として、各々の引掛けフックの両端にバイオリン裏板の縁に引掛ける鈎と、鈎を両端に配設した鈎基板を具備し、鈎基板には肩当て本体側に突き出るオネジ部を具備し、引掛けフックのオネジ部と嵌合するブラケットを具備し、ブラケットには引掛けフックのオネジ部と嵌合するメネジ部を具備し、引掛けフックの脱落防止機構として、三種類の脱落防止機構を有し、引掛けフックの第一の脱落防止機構として、天板中央に配設した輪ゴム留め具を具備し、引掛けフックの両端に輪ゴム留め鈎を具備し、第一の輪ゴムの一端を天板の輪ゴム留め具に締結し、第一の輪ゴムの他端を引掛けフックの片側の輪ゴム留め鈎に係留する構造とし、引掛けフックの第二の脱落防止機構として、引掛けフックの鈎基板を挟んで摺動する二股楔板を具し、二股楔板の内部構造として、二股楔板の表面に形成された楔面と、鈎基板を二股楔板の裏で挟む二股裏板と、二股楔板の内側で鈎基板の上を摺動する摺動面と、二股の表裏を連結する端末内面に取り付け鈎基板の端面を押す板バネと、バイオリン裏板の縁を引掛けフックの鈎と二股楔板の楔面で掴む構造とし、引掛けフックの第三の脱落防止機構として、第二の輪ゴム一端を天板中央の輪ゴム留め具に締結し、エンドピンに第二の輪ゴム他端を接合し、肩当てが脱落してもエンドピンに垂下し落下を防止する構造を特徴とする三種類の脱落防止機構を具備する。自律的回動機構の内部構造として、外力が作用しないと閉まるスプリング蝶番を具備し、スプリング蝶番の関節を天板の湾曲の外側（首側と反対側）に向け、スプリング蝶番の一方の翼を天板の両端に接合し、スプリング蝶番の他方の翼に引掛けフックのブラケットを接続して構成する。肩当て底面シートの内部構造として、肩当て底面と同形状で可撓性の合成樹脂で構成した薄い基板シートを具備し、基板シートの表側に二種類の機能部品を配設して肩当て底面シートを構成し、第一の機能部品として鎖骨から大胸筋鎖骨部を緩衝素材で柔かく覆う肩クッション部を基板シートの表側に接合し、第二の機能部品として合成樹脂の丈夫な芯糸で編んだネットに滑り止め効果が出る程度に可塑化した塩化ビニール等を被覆したネットを肩クッション部の残りの基板シート上に接合して滑り止めネット部を構成し、肩クッション部と滑り止めネット部を連結した肩当て底面シートを構成する。天板と、丈夫な肩当ての外殻（細長い箱形部とそれに連なる三角柱形部の腕に面した肩当て梁外壁面を構成する丈夫な外殻と、細長い箱形部の四角形端面および首側外壁面を構成する丈夫な外殻と、三角柱形部の急傾斜底面および三角形端面を構成する丈夫な外殻）に適用する音響雑音を出さない特定素材として、カリン等の硬質木材または類似物性の合成樹脂あるいは制振合金等を音響雑音を出さない厚さ数ｍｍ以下に成形した薄板、またはバイオリンより低音音響の硬さに可塑化した合成樹脂を成形した薄板を組合せ、更に肩当て梁の最外殻を皮や布地あるいは丈夫な包装フィルムで被覆して構成する。
【実施例】
【実施例の構成】
【０００９】実施例の構成は、図１、図３、図４．図５、図６、図７、図８、図９、図１０、図１１、図１２、図１３、図１４、図１５、図１６、図１７、図１８、図１９、図２０、図２１および図２２に図示するごとく、バイオリンの肩当て（１）において、バイオリン裏板を左右から挟んで支える引掛けフック（２）および引掛けフック（２）の脱落防止機構を具備し、左右の各引掛けフック（２）の下端にはブラケット（６）を具備し、左右のブラケット（６）下端の間を細長く連結する肩当て本体（３）を具備し、ブラケット（６）の内部には肩当て本体（３）の傾斜角度を調整する自律的回動機構を具備し、肩当て本体（３）の最上部両端においてブラケット（６）を締結する硬い特定素材を用いて肩から胸に沿い細長い薄板構造の天板（９）を具備し、天板（９）裏を天板（９）が折れない様に支える適度に丈夫な肩当て梁（１０）を具備し、肩当て梁（１０）の内部構成として、天板（９）と同形状の上面を有し、鎖骨から大胸筋鎖骨部に接触し荷重を受ける肩クッション部（１６）の土台となる細長い箱形部（３０）と、細長い箱形部（３０）に対し湾曲し捻じれる方向に連なる胸の急傾斜面に密着する急傾斜底面（１４）を備えた三角柱形部（３１）とで構成し、肩当て梁（１０）の内部を柔軟素材（２０）で充填すると共に外周を補強する肩当て外殻（１２）（細長い箱形部（３０）とそれに連なる三角柱形部（３１）の身体に接触しない肩当て外壁面（３８）を構成する丈夫な外殻と、細長い箱形部（３０）の四角形端面（３９）および首側外壁面（４０）を構成する丈夫な外殻と、三角柱形部（３１）の急傾斜底面（１４）および三角形端面（４１）を構成する丈夫な外殻）を音響雑音の出ない特定素材で構成し、肩当て底面（１１）（細長い箱形部（３０）の底面と三角柱形部（３１）の底面を連ねた底面）の上に接合する部品として肩当て底面シート（１５）を具備し、肩当て底面シート（１５）の内部構成として、細長い箱形部（３０）の上に特定素材で構成した肩クッション部（１６）を配設すると共に三角柱形部（３１）の急傾斜底面（１４）の上に特定素材で構成した滑り止めネット部（１７）を連結して配設した肩当て底面シート（１５）を肩当て梁（１０）の肩当て底面（１１）の上に接合する。引掛けフック（２）の内部構造として、各々の引掛けフック（２）の両端にバイオリン裏板の縁に引掛ける鈎（３３）と、両端に鈎（３３）を配設した鈎基板（３２）を具備し、鈎基板（３２）には肩当て本体（３）側に突き出るオネジ部（４）を具備し、引掛けフック（２）のオネジ部（４）と嵌合するブラケット（６）を具備し、ブラケット（６）には引掛けフック（２）のオネジ部（４）と嵌合するメネジ部（７）を具備し、引掛けフック（２）の脱落防止機構として、三種類の脱落防止機構を有し、引掛けフック（２）の第一の脱落防止機構として、天板（９）中央に配設した輪ゴム留め具（１８）を具備し、引掛けフック（２）の両端に輪ゴム（１９）の留め鈎（３４）を具備し、第一の輪ゴム（１９）の一端を天板（９）の輪ゴム留め具（１８）に締結し、第一の輪ゴム（１９）の他端を引掛けフック（２）の輪ゴム（１９）の留め鈎（３４）の片側に係留する構造とし、引掛けフック（２）の第二の脱落防止機構として、引掛けフック（２）の鈎基板（３２）を挟んで摺動する二股楔板（５）を具し、二股楔板（５）の内部構造として、二股楔板（５）の表面に形成された楔面（２６）と、鈎基板（３２）を二股楔板（５）の裏で挟む二股裏板（２７）と、二股楔板（５）の内側で鈎基板（３２）の上を摺動する摺動面（３５）と、二股楔板（５）の摺動面（３５）と二股裏板（２７）を連結する端末の内面に取り付け鈎基板（３２）の端面を押す板バネ（３６）と、バイオリン裏板の縁を引掛けフック（２）の鈎（３３）と二股楔板（５）の楔面（２６）で掴む構造とし、引掛けフック（２）の第三の脱落防止機構として、第二の輪ゴム（１９）一端を天板（９）中央の輪ゴム留め具（１８）に締結し、エンドピン（２３）に第二の輪ゴム（１９）の他端を係留し、肩当て（１）が脱落してもエンドピン（２３）に垂下し落下を防止する構造を特徴とする三種類の脱落防止機構を具備する。自律的回動機構の内部構造として、外力が作用しないと捩りコイルバネ（３７）が閉まるスプリング蝶番（８）を具備し、スプリング蝶番（８）の蝶番関節（２８）を天板（９）の湾曲の外側（首側と反対側）に向け、スプリング蝶番（８）の一方の翼を天板（９）の両端に接合し、スプリング蝶番（８）の他方の翼にブラケット（６）を接続して構成する。肩当て底面シート（１５）の内部構造として、肩当て底面（１１）と同形状で可撓性の合成樹脂で構成した薄い基板シート（１３）を具備し、基板シート（１３）の表側に二種類の機能部品を配設して肩当て底面シート（１５）を構成し、第一の機能部品として鎖骨から大胸筋鎖骨部を緩衝素材で柔かく覆う肩クッション部（１６）を基板シート（１３）の表側に接合し、第二の機能部品として合成樹脂の丈夫な芯糸で編んだネットに滑り止め効果のある程度に可塑化した塩化ビニール等を被覆して形成したネットを肩クッション部（１６）の残りの基板シート（１３）上に接合して滑り止めネット部（１７）を構成し、肩クッション部（１６）と滑り止めネット部（１７）を連結した肩当て底面シート（１５）を構成する。天板（９）と、丈夫な肩当て外殻（１２）（細長い箱形部（３０）とそれに連なる三角柱形部（３１）の腕に面する肩当て外壁面（３８）を構成する丈夫な外殻と、細長い箱形部（３０）の四角形端面（３９）および首側外壁面（４０）を構成する丈夫な外殻と、三角柱形部（３１）の急傾斜底面（１４）および三角形端面（４１）を構成する丈夫な外殻）に適用する音響雑音の出ない特定素材として、カリン等の硬質木材または類似物性の合成樹脂あるいは制振合金等を音響雑音の出ない厚さ数ｍｍ以下に成形した薄板、またはバイオリンより低音音響になる硬さに可塑化した合成樹脂を成形した薄板を組合せ、更に肩当て梁の最外殻を皮や布地あるいは丈夫な包装フィルムで被覆して構成する。
【実施例の作用】
【００１０】
【作用１】
従来肩当て（１）は、鎖骨から大胸筋鎖骨部で主に支える単純な底面形状のため胸の急斜面では人体側の肩当て（１）の縁だけが胸に不安定に接触する構造となるため、実施例の作用として、鎖骨から大胸筋鎖骨部を覆う肩クッション部（１６）に加え、胸の急傾斜面で荷重モーメントに対抗する滑り止めネット部（１７）を配設し、肩当ての荷重を分散し安定して受ける事により、顎当て（２１）を押さえる力を小さくしても、バイオリンを安定保持でき、演奏中に身体を拘束する事無く、身体を脱力可能にする。
【作用２】
従来肩当て（１）の引掛けフック（２）は、バイオリン裏板の縁を掴むく機構が脱落し易い構造であり、特に、関節痛等の防止のために肩当て（１）を肩関節に触らず鎖骨から大胸筋鎖骨部を支えるために肩当て（１）の位置を首の近くに寄せる措置の結果、左右の引掛けフック（２）の間隔を短くしてバイオリン裏板の縁を掴む位置をエンドピン（２３）に近くすると共に脱落し易くなるため、実施例の作用として、引掛けフック（２）をバイオリン裏板の縁に常時押し付ける第一の脱落防止手段と、引掛けフック（２）と二股楔板（５）でバイオリン裏板の縁を確実に掴む第二の脱落防止手段と、エンドピン（２３）に輪ゴム（１９）で肩当て（１）を係留する第三の脱落防止手段を組合せ、肩当て（１）脱落の危険を解消する。
【作用３】
肩当て本体（３）とブラケット（６）との角度を調整する自律的回動機構を構成するスプリング蝶番（８）は、図１７のように閉じる方向に作用し、肩当て外壁面（３８）の先端を爪先立ちにして胸の急傾斜面に最初に接触する方向に回動するため、図１５のごとく胸の人体表面の急斜面に肩当て外壁面（３８）の先端から着地し、図１６のごとく肩当て底面（１１）の全面が人体表面（４２）に密着する事で、荷重モーメント式において肩当て（１）の人体との接触点から顎までの距離）を従来の肩当て（１）より大きくすると共に（顎に作用するバイオリンを支える力）を小さくでき、結果、バイオリンを支える力を小さくしても、捻じれ角度の関係にある肩クッション部（１６）と滑り止めネット部（１７）の二面でバイオリンを受ける事により、バイオリンが揺れ易い演奏技巧を発揮中に、身体を拘束せずにバイオリンを安定させると共に身体の脱力と敏捷操作を可能にする。
【作用４】
肩当て（１）からの音響雑音は、天板（９）および肩当て外殻（１２）の丈夫で長い薄板材が雑音源となるため、実施例の作用として、天板（９）および肩当て外殻（１２）の材質をカリン等の硬質木材または類似物性の合成樹脂あるいは制振合金等を音響雑音を出さない厚さ数ｍｍ以下に成形した薄板、またはバイオリンより低音音響になる硬さに可塑化した合成樹脂を成形した薄板を組合せ、更に肩当て梁（１０）の最外殻を皮や布地あるいは丈夫な包装フィルムで被覆して構成する事により、バイオリン音響に共振して音響雑音を出さ無くなる。
【他の実施例の構成】
【００１１】
【他の実施例（１）の構成】
他の実施例（１）の構成は、図２３および図２４において、本発明の肩当て（１）に対応する顎当て（２１）として、滑り難い布地で構成した第一の四角形布地（２２）（顎当て（２１）全体を覆う大布地）を具備し、第一の四角形布地（２２）の一角を挟む二辺と第二の四角形布地（２５）（一辺数ｃｍの小布地）の一角を挟む二辺を重ね合わせて縫合して形成した小袋を具備し、第一の四角形布地（２２）において小袋と対角の角に一端を縫合した第一の輪ゴム（１９）を具備し、小袋を顎当て（２１）先端に引掛け、エンドピン（２３）側の顎当て（２１）端面に第一の輪ゴム（１９）の縫合部を合わせて、第一の輪ゴム（１９）をエンドピン（２３）を経由して顎当て（２１）端の裏に引回して着脱可能に顎当て（２１）に被せる構成とし、第一の四角形布地（２２）の顎当て（２１）両側面から裏に垂れ下がる二辺の中間部と小袋の宙に浮いた角の合計三か所に第二の輪ゴム（１９）の三位置を縫合し、第二の輪ゴム（１９）を顎当て（２１）裏面に回して、第一の四角形布地（２２）の顎当て（２１）の宙に浮いた裏側の布地を弛まない様に引張る構成の顎当て被覆布（２４）を構成する。
【他の実施例（２）の構成】
他の実施例（２）の構成は、図１において、スプリング蝶番（８）の捩りコイルバネ（３７）の代わりに引掛けフック（２）の脱落防止機構事における第一の輪ゴム（１９）および第二の輪ゴム（１９）を自律的回動機構の動力とし、スプリング蝶番（８）の代わりに単なる蝶番を具備するか、または引掛けフック（２）のブラケット（６）にスプリング蝶番（８）と同方向に回転する回転軸を内蔵する事を特徴とするバイオリン肩当て。
【他の実施例の作用】
【００１２】
【他の実施例（１）の作用】
本発明の肩当て（１）の実施例における、顎当て（２１）を押し付ける力を小さくし演奏中の脱力可能にする副作用として、顎の汗や脂肪が顎当てに付着すると、バイオリンが滑落し易くなる危険の増大に対し、他の実施例の作用は、顎当て被覆布地（２４）の滑り止め効果により滑落の危険を解消する作用がある。
【他の実施例（２）の作用】
本発明の肩当て（１）の実施例における、スプリング蝶番（８）による自律的回動機構の捩りコイルバネ（３７）は、引掛けフック（２）の脱落防止機構事における第一の輪ゴム（１９）および第二の輪ゴム（１９）の牽引方向と同方向に作用するため、捩りコイルバネ（３７）の力は、バイオリン荷重から第一の輪ゴム（１９）および第二の輪ゴム（１９）の牽引力を差し引いて設計する複雑さの代わりに、捩りコイルバネ（３７）を無くせば、第一の輪ゴム（１９）および第二の輪ゴム（１９）を自律的回動機構の動力を兼用でき、スプリング蝶番（８）の代わりに単なる蝶番を具備するか、または引掛けフック（２）のブラケット（６）にスプリング蝶番（８）と同方向に回転する回転軸を内蔵する事で設計を単純化できる作用がある。
【産業上の利用可能性】
【００１３】第一に、バイオリン本来の音響を阻害する肩当ての音響雑音を解消し、第二に、鎖骨から大胸筋鎖骨部を柔かく覆う肩クッション部と胸の急傾斜を滑り止めネット部で支える構造と、引掛けフックの脱落防止機構と、肩当ての自律的回動機構を備えた肩当てにより、演奏中の脱力を可能にし、肩周辺の筋肉痛および腱鞘炎の防止、更に頚椎痛の発生を解消する事で、バイオリン演奏愛好者を増加し、バイオリン関連産業を振興する肩当てを提供する。
【符号の説明】
【００１４】（１）・・・肩当て
（２）・・・引掛けフック
（３）・・・肩当て本体
（４）・・・オネジ部
（５）・・・二股楔板
（６）・・・ブラケット
（７）・・・メネジ部
（８）・・・スプリング蝶番
（９）・・・天板
（１０）・・・肩当て梁
（１１）・・・肩当て底面
（１２）・・・肩当て外殻
（１３）・・・基板シート
（１４）・・・急傾斜底面
（１５）・・・肩当て底面シート
（１６）・・・肩クッション部
（１７）・・・滑り止めネット部
（１８）・・・輪ゴム留め具
（１９）・・・輪ゴム
（２０）・・・柔軟素材
（２１）・・・顎当て
（２２）・・・第一の四角形布地
（２３）・・・エンドピン
（２４）・・・顎当て被覆布
（２５）・・・第二の四角形布地
（２６）・・・楔面
（２７）・・・二股裏板
（２８）・・・蝶番関節
（２９）・・・輪ゴム縫合部
（３０）・・・細長い箱形部
（３１）・・・三角柱形部
（３２）・・・鈎基板
（３３）・・・鈎
（３４）・・・留め鈎
（３５）・・・摺動面
（３６）・・・板バネ
（３７）・・・捩りコイルバネ
（３８）・・・肩当て外壁面
（３９）・・・四角形端面
（４０）・・・首側外壁面
（４１）・・・三角形端面
（４２）・・・人体表面
【図１】
0003167469.tif 000003
【図２】
0003167469.tif 000004
【図３】
0003167469.tif 000005
【図４】
0003167469.tif 000006
【図５】
0003167469.tif 000007
【図６】
0003167469.tif 000008
【図７】
0003167469.tif 000009
【図８】
0003167469.tif 000010
【図９】
0003167469.tif 000011
【図１０】
0003167469.tif 000012
【図１１】
0003167469.tif 000013
【図１２】
0003167469.tif 000014
【図１３】
0003167469.tif 000015
【図１４】
0003167469.tif 000016
【図１５】
0003167469.tif 000017
【図１６】
0003167469.tif 000018
【図１７】
0003167469.tif 000019
【図１８】
0003167469.tif 000020
【図１９】
0003167469.tif 000021
【図２０】
0003167469.tif 000022
【図２１】
0003167469.tif 000023
【図２２】
0003167469.tif 000024
【図２３】
0003167469.tif 000025
【図２４】
0003167469.tif 000026
【手続補正書】
【提出日】平成23年2月3日(2011.2.3)
【手続補正１】
【補正対象書類名】実用新案登録請求の範囲
【補正対象項目名】全文
【補正方法】変更
【補正の内容】
【実用新案登録請求の範囲】
【請求項１】
バイオリン肩当てにおいて、バイオリン裏板の縁を左右から掴む引掛けフックおよび引掛けフックの脱落防止機構を具備し、引掛けフックの下端にはオネジを具備し、引掛けフックの下端に配設されたオネジを介してブラケットと嵌合し、ブラケット底面に接合される部品として左右の引掛けフックの間を細長く連結する肩当て本体を具備し、左右のブラケットの下端には左右の間を細長く連結する肩当て本体を具備し、ブラケット内部には胸の急傾斜面で肩当て底面の胸下側端面を胸に密着させる自律的回動機構を具備し、肩当て本体の最上部で両端にブラケットを締結するに必要な強度を備えた特定素材の薄板で肩から胸を覆う細長い天板を具備し、天板を天板裏で構造強度的に支える適度に丈夫な肩当て梁を具備し、肩当て梁の構成として、天板と同形状の上面を有し、鎖骨周辺で荷重を柔かく受ける肩クッション部の土台となる平坦底面形状の細長い箱形部と、細長い箱形部の底面に対し湾曲し捻じれる方向に連なる胸の急傾斜面に密着する急傾斜底面を備えた三角柱形部とで肩当て梁を構成し、肩当て梁の内部は柔軟素材を充填する構成とし、細長い箱形部とそれに連なる三角柱形部の腕側の肩当て梁外壁面を構成する丈夫な外殻と細長い箱形部の四角形端面および首側外壁面を構成する丈夫な外殻と三角柱形部の急傾斜底面および三角形端面を構成する丈夫な外殻を連ねた丈夫な肩当て外殻を音響雑音の出ない特定素材で構成し、細長い箱形部の底面と三角柱形部の底面を連ねた肩当て底面の上に接合する部品として肩当て底面シートを具備し、肩当て底面シートの内部構成として、細長い箱形部の上に特定素材で構成した肩クッションを配設すると共に三角柱形部の急傾斜底面の上に特定素材で構成した滑り止めネット部を連結して配設した肩当て底面シートを肩当て梁の底面の上に交換可能に接合する事を特徴とするバイオリン肩当て。
【請求項２】
前記引掛けフックとして、各々の引掛けフックの両端にバイオリン裏板の縁に引掛ける鈎と、鈎を両端に配設した鈎基板を具備し、鈎基板には肩当て本体側に突き出るオネジ部を具備し、引掛けフックのオネジ部と連結するブラケットを具備し、ブラケットには引掛けフックのオネジ部と嵌合するメネジ部を具備し、前記引掛けフックの複数種類の脱落防止機構を有し、引掛けフックの第一の脱落防止機構として、天板中央に配設した輪ゴム留め具を具備し、引掛けフックの両端に輪ゴム留め鈎を具備し、第一の輪ゴムの一端を天板の輪ゴム留め具に締結し、第一の輪ゴムの他端を引掛けフックの片側の輪ゴム留め鈎に係留し引張る構造とし、引掛けフックの第二の脱落防止機構として、引掛けフックの鈎基板を挟んで摺動する二股楔板を具備し、二股楔板の内部構造として、二股楔板の表面に形成された楔部と、楔部の裏面に構成され楔基板上を摺動する摺動面と、摺動面の付け根で連結され鈎基板を裏から挟む二股楔裏板を配設し、二股楔板を引掛けフックに着脱する干渉を避けるため、二股楔裏板の中央部に引掛けフック鈎基板のオネジ部をブラケット側に突き出す開口部を明けると共に楔部の連結部から反対側末端部までの長さを二股楔裏板の連結部から反対側末端部までの長さより短く構成し、第二の輪ゴムの一端を摺動面の付け根と二股楔裏板の連結部分に巻き付け、第二の輪ゴムの他端を引掛けフックのオネジ部に回し輪形状に引張り、摺動面の付け根と二股楔裏板の連結部分を鈎基板の端面に引き寄せる動力機構を構成してバイオリン裏板の縁を引掛けフックの鈎と楔部で掴む構造とし、引掛けフックの第三の脱落防止機構として、第三の輪ゴムの一端を天板中央の輪ゴム留め具に締結し、エンドピンに第三の輪ゴムの他端を係留し、肩当てが脱落してもエンドピンに垂下し落下を防止する第三の脱落防止機構を構成し、以上の複数の脱落防止機構を具備する事を特徴とする請求項１に記載のバイオリン肩当て。
【請求項３】
前記自律的回動機構として外力が作用しないと閉まる捩りコイルバネを内蔵するスプリング蝶番を具備し、引掛けフックの下端に配設されたオネジ部とブラケットのメネジ部を嵌合してブラケットを結合し、スプリング蝶番２個の関節を天板の湾曲の首側とは反対の外側に向け、左右ブラケット下部にスプリング蝶番の一方の翼を各々結合し、スプリング蝶番他方の翼を天板両端の各々に結合して自律的回動機構を構成するか、スプリング蝶番の捩りコイルバネの代わりに前記引掛けフックの脱落防止機構における第一の輪ゴムおよび第二の輪ゴムにより自律的回動機構の動力を兼用してスプリング蝶番の代わりに単なる蝶番を具備するか、または引掛けフックのブラケットにスプリング蝶番と同方向に回転する回転軸を内蔵する事で、自律的回動機構を構成する事を特徴とする請求項１に記載のバイオリン肩当て。
【請求項４】
前記天板と丈夫な肩当て外殻に適用する音響雑音を出さない特定素材として、カリン等の硬質木材または類似物性の合成樹脂あるいは制振合金等を音響雑音を出さない厚さ数ｍｍ以下に成形した薄板、または固有振動数がバイオリン最低音より低くなる硬さに可塑化した合成樹脂を成形した薄板を組合せて構成し、更に肩当て梁の最外殻を皮や布地あるいは丈夫な包装フィルムで被覆して構成を特徴とする請求項１に記載のバイオリン肩当て。
【請求項５】
前記肩当て底面シートにおいて、肩当て底面と同形状で可撓性の合成樹脂で構成した薄い基板シートを具備し、基板シートの表側に二種類の機能部品を配設して肩当て底面シートを構成し、第一の部品として鎖骨から大胸筋鎖骨部を緩衝素材で柔かく覆う肩クッション部を基板シートの表側に接合し、第二の部品として合成樹脂の丈夫な芯糸で編んだネットに滑り止め効果の出る程度に可塑化した塩化ビニール等を被覆したネットを肩クッション部の残りの基板シート上に接合して滑り止めネット部を構成し、肩クッション部と滑り止めネット部を連結した肩当て底面シートを具備する事を特徴とする請求項１に記載のバイオリン肩当て。
【請求項６】
前記自律的回動機構として、左右のブラケットから前記スプリング蝶番の代わりに、スプリング蝶番と同軸方向の回転軸を左右のブラケット内部に構成し、肩当て外側となる左右の回転軸末端部に引掛けフックの下端のオネジ部と嵌合するメネジ部を構成し、胸の上で支える右ブラケットの回転軸の外周にスプリング蝶番と同方向に回転力を発生させる捩りコイルバネ左巻と、鎖骨近くで支える左ブラケットの回転軸の外周にスプリング蝶番と同方向に回転力を発生させる捩りコイルバネ右巻を各々配設して自律的回動機構を構成する事を特徴とする請求項３に記載のバイオリン肩当て。
【手続補正２】
【補正対象書類名】明細書
【補正対象項目名】全文
【補正方法】変更
【補正の内容】
【考案の詳細な説明】
【技術分野】
【０００１】バイオリンの顎当てを顎で軽く押し付けるだけで力まず全身を脱力してバイオリンを構える事は、ビブラートを始め高度の演奏技巧に必須である状況に鑑み、肩当てを肩関節に触らず鎖骨から大胸筋鎖骨部の緩傾斜面で支えると共に胸の急斜面でバイオリンの荷重モーメントを支える構造が未解決であり、また、肩関節周辺の筋肉の痛みや腱鞘炎あるいは頚椎痛み等を防止する技術が未解決であり、更に、バイオリンの音響を阻害する肩当てから発生する音響雑音の解消が未解決であり、以上の解決が発明の技術分野である。
【背景技術】
【０００２】バイオリン本体はイタリア人アマティ等により１６００年代に完成後、バイオリン名器の豊かな音響に魅了される演奏家は多いが１８世紀後半の産業革命と共に高度の木工職人の名人技が廃れてストラディバリ等の豊かな音響を具備するバイオリンは製作できなくなり、一方、バイオリン顎当てはルイ・シュポーアにより１８００年代に発明され、バイオリン肩当ては、メニューインにより２０世紀に発明された。図２に、バイオリンへの顎当て及び肩当ての装着状態を示す。それぞれ改良が続きバイオリン演奏技術向上に貢献し、バイオリン顎当ては、ほとんどの演奏者が使用するほど普及したが、肩当ては、脱力し難い構造や音響雑音を発生する等の不満が原因で、肩当てを使用する代わりに、特殊材質の布地を適度に折り畳み、顎当て上から肩にかけて巻き付けて演奏する人の多い状況に鑑み、本発明により肩当ての完成が望まれる技術分野である。
【先行技術文献】
【特許文献】
【０００３】
【特許文献１】（特許公開２００８−０６４７９６）は、日本の本発明に無関係な機構特許。
【特許文献２】（特許公開  平０７−２７１３５２）は、ＫＵＮ社の本発明に無関係な機構特許。
【特許文献３】（特許公表２００６−５１４３３２）は、ＫＵＮ社の本発明に無関係な機構特許。
【特許文献４】（特許公表２００６−５１４３３１）は、ＫＵＮ社の本発明に無関係な機構特許。
【特許文献５】（特許公表２００４−５０２９７５）は、米国の本発明に無関係な機構特許。
【考案の概要】
【考案が解決しようとする課題】
【０００４】バイオリン裏板を左右から掴む引掛けフック１対の間をバイオリン裏板と一定隙間を隔てて細長く連結する種類の従来肩当ての課題１として、従来肩当ては底面が平坦な底面形状のため、鎖骨周辺の平坦形状は支え易いが、その先に湾曲し捻じれて連なる胸の急傾斜面に対しては、肩当て底面の首に近い端面だけが線状に接触するだけで、モーメント理論式における肩当ての人体との接触点から顎までの距離が小さくなるため、顎でバイオリンを支える力が大きくなり、演奏に必要な左手親指でバイオリンを下から支える力を微小にして身体を脱力する事が困難になる事が課題１となる。更に課題１の解決手段として胸の急傾斜面に形状一致する急傾斜底面部を配設するだけでは胸に密着するとは限らず、肩当て急傾斜底面部の首側の端面だけが胸に片当たりする状態は、モーメント理論式では従来の平坦底面形状の肩当てと大差無く、顎でバイオリンを支える力は小さくならない。従って、肩当て底面の形状構造の解決だけでは、モーメント理論式における肩当ての人体との接触点から顎までの距離が大きくならない事も含めて課題１となる。【０００５】従来の肩当ての引掛けフックは、バイオリン裏板の縁に装着時きつく押し付ける以外脱落防止機構が無い事に起因し、バイオリン裏板の縁を挟む引掛けフックの鈎から基板までの距離は縁の厚さより大きく隙間ができるため演奏中肩当てを少しでも揺らすと緩み脱落し易く、特に、肩凝りや関節痛および頚椎痛等を防止するために肩当てを肩関節に触らず首の近くに寄せる場合は、左右の引掛けフックの間隔を短くしてバイオリン裏板の縁を掴む位置がエンドピンに近くなるため、従来肩当てでは引掛けフックが一層脱落し易くなる事が課題２となる。【０００６】従来の肩当ては、肩当てに伝導したバイオリン音響に対し肩当て素材が共振し易く、音響雑音を発生しない肩当てを構成するのは困難で、バイオリン本来の音響を妨害する事が課題３である。
【課題を解決するための手段】
【０００７】課題１に対してモーメント理論式における肩当ての人体との接触点から顎までの距離を大きくするため、平坦な底面に胸に密着する急傾斜底面を連ねる形状構造による解決手段１に加えて、肩当て底面を胸の急斜面に密着させる機構を組合せて解決手段１とする必要がある。肩当ての形状構造による解決手段１としては、バイオリン裏板の縁を左右から掴む引掛けフックを具備し、引掛けフック下端にはオネジを具備し、引掛けフックは下端のオネジを介してブラケットと嵌合し、左右の引掛けフックの間には、ブラケットを介して細長く連結する肩当て本体を具備し、肩当て本体の最上部には、両端にブラケットを配設するに必要な強度を備えた特定素材の薄板で肩から胸を覆う細長い天板を具備し、天板の構造強度不足を天板裏で補強する適度に丈夫な肩当て梁を具備し、肩当て梁の構成として、天板と同形状の上面を有し、鎖骨周辺で平坦な底面形状で荷重を柔かく受ける肩クッション部の土台となる平坦な細長い箱形部と、細長い箱形部の底面に対し湾曲し捻じれて連なる胸の急傾斜面に密着する急傾斜底面を備えた三角柱形部とで肩当て梁を構成し、肩当て梁の内部は柔軟素材を充填する構成とし、同時に外周を補強する役割の細長い箱形部とそれに連なる三角柱形部の身体に接触しない側の肩当て梁外壁面を構成する丈夫な外殻と、細長い箱形部の四角形端面および首側壁面を構成する丈夫な外殻と、三角柱形部の急傾斜底面および三角形端面を構成する丈夫な外殻を連ねた丈夫な肩当て外殻を特定素材で構成し、細長い箱形部の底面と三角柱形部の底面を連ねた肩当て底面の上に接合する部品として肩当て底面シートを具備し、肩当て底面シートの内部構成として、鎖骨周辺の平坦面に適合する肩当て梁の平坦な細長い箱形部の上に特定素材で覆う肩クッション部に加え、胸の急傾斜面で荷重モーメントに対抗する肩当て梁の急傾斜底面の上に滑り難い特定素材で構成した滑り止めネット部を連結して配設した肩当て底面シートを肩当て梁の底面に交換可能に接合し、肩当てを押さえる力を小さくするための、肩当ての形状構造による解決手段１を提供する。肩当て底面を胸の急斜面に密着させる機構解決手段１としては、スプリング蝶番を使用した自律的回動機構による解決手段１と、スプリング蝶番の無い他の実施例の解決手段１がある。スプリング蝶番を使用した自律的回動機構による解決手段１としては、引掛けフックと天板の間をスプリング蝶番で回動させる機構を配設し、空中ではスプリング蝶番が閉じて肩当て底面が回動して爪先立ち状態になり、胸の急傾斜面に着地後はバイオリンの荷重で回動する力で胸に密着する構成によりスプリング蝶番を使用した自律的回動機構による解決手段１を提供する。スプリング蝶番の無い他の実施例の解決手段１としては、引掛けフックと天板の間からスプリング蝶番を無くす代わりに回転軸を右ブラケットと左ブラケットに配設し、回転軸の外側末端部に引掛けフックと嵌合するメネジ部を形成し、回転軸他端の外周に動力となる捩りコイルバネ右巻および捩りコイルバネ左巻を配設して構成する事で、空中ではスプリング蝶番が閉じて肩当て底面が回動して爪先立ち状態になり、胸の急傾斜面に着地後はバイオリンの荷重で回動する力で胸に密着する構成によりスプリング蝶番を無くす他の実施例の解決手段１を提供する。【０００８】課題２に対する解決手段２として、複数種類の引掛けフック脱落防止機構を具備し、引掛けフックの第一の脱落防止機構として、天板中央に配設した輪ゴム留め具を具備し、引掛けフックの両端に輪ゴム留め鈎を具備し、第一の輪ゴムの一端を天板の輪ゴム留め具に締結し、第一の輪ゴムの他端を引掛けフックの片側の留め鈎に係留する構造により、引掛けフック先端をバイオリン裏板の縁に常時押し付ける第一の脱落防止手段を構成し、引掛けフックの第二の脱落防止機構として、鈎基板の表裏を挟んで摺動する二股楔板を配設し、バイオリン裏板の縁を引掛けフックの鈎と二股楔板で強力に掴む機構を構成し、二股楔板の内部構成として鈎基板の表側に形成した楔部と、鈎基板の裏側に形成した二股楔裏板と、バイオリン裏板の外側で楔部と二股楔裏板を連結する二股楔板連結部を構成し、楔部の裏面に鈎基板の上を摺動する摺動面を形成し、鈎基板と二股楔板の着脱で干渉を避けるため二股楔裏板の中央部に鈎基板のオネジ部がブラケット側に突き出るよう開口部を明けると共に楔部の長さを二股楔裏板の長さより短く構成し、第二の輪ゴムの一端を二股楔板連結部に巻き付けると共に第二の輪ゴムの他端を引掛けフックのオネジ部に輪形状に引張り回して二股楔板連結部を鈎基板の外側端面に引き寄せる動力機構を構成してバイオリン裏板の縁を引掛けフックの鈎と二股楔板で確実に掴む第二の脱落防止手段を構成し、引掛けフックの第三の脱落防止機構として、第三の輪ゴムの一端を天板中央の輪ゴム留め具に締結し、エンドピンに第三の輪ゴム他端を係留し、肩当てが脱落してもエンドピンに垂下し落下を防止する第三の脱落防止手段とし、以上を主要とする複数の肩当て脱落防止機構による解決手段２を提供する。【０００９】課題３に対する解決手段３として、肩当て本体最上部の天板と、細長い箱形部とそれに連なる三角柱形部の身体に接触しない外側の肩当て梁外壁面を構成する丈夫な外殻と細長い箱形部の四角形端面および首側壁面を構成する丈夫な外殻と三角柱形部の急傾斜底面および三角形端面を構成する丈夫な外殻を連ねた丈夫な肩当て外殻に用いる素材として、カリン等の硬質木材または類似物性の合成樹脂あるいは制振合金等を音響雑音の出ない厚さ数ｍｍ以下に成形した薄板、またはバイオリンより低音音響になる硬さに可塑化した合成樹脂を成形した薄板を組合せ、更に肩当て梁の最外殻を皮や布地あるいは丈夫な包装フィルムで被覆し補強して構成し、バイオリンの音響を肩当て音響雑音で妨害しない解決手段３を提供する。
【考案の効果】
【００１０】肩当ての形状構造と肩当て底面の自律的回動機構を組合せた解決手段１に対する効果１としては、顎当てを支える顎の力を最小にする効果、身体を拘束せずにバイオリンを楽に支える効果、左手親指でバイオリン指板の裏を支える力を微小にすると共に身体を脱力してビブラート等表現豊かに演奏できる効果、および肩こりや肩関節痛および頚椎痛を防止する効果１がある。【００１１】解決手段２に対する効果２としては、バイオリン裏板の縁を掴む肩当ての引掛けフックが、脱落する危険を解消する効果２がある。【００１２】解決手段３に対する効果３としては、引掛けフックを経由して伝導したバイオリン音響に対し肩当てから音響雑音を出さなくする効果３がある。
【図面の簡単な説明】
【００１３】
【図１】肩当て外形図
【図２】肩当てのバイオリン装着図
【図３】肩当て使用状況図
【図４】肩当て正面図
【図５】肩当て正面図４のａ−ａ断面における平面図
【図６】天板の外形図
【図７】肩当て梁内部の外形図
【図８】肩当て外殻正面図９の上平面図
【図９】肩当て外殻の正面図
【図１０】肩当て外殻正面図９の右側面図
【図１１】肩当て外殻正面図９の左側面図
【図１２】肩当て底面シート正面図１３の上平面図。肩当て底面シート１５の肩当て底面１１への接合面を示す図。図１２の方向は、図５を１８０度時計回転した図と同じ方向の図で、但し、肩当て底面シート１５を肩当て底面１１の三次元形状に合わせ捻って接合する前の平坦な上平面図。
【図１３】肩当て底面シート１５の正面図
【図１４】肩当て底面シート正面図１３の下平面図。肩当て底面シート１５の身体接触側の図で、図１４の図示方向は、図５を１８０度時計回転し、裏から見た図と同方向の図で、但し、肩当て底面シート１５を肩当て底面１１の３次元形状に合わせ捻って接合する前の平坦な下平面図。
【図１５】肩当て本体３の自律的回動機構の胸着地前説明図
【図１６】肩当て本体３の自律的回動機構の胸密着説明図
【図１７】スプリング蝶番８の外形図
【図１８】引掛けフック２の外形図
【図１９】鈎基板３２と、その付帯部品の外形図
【図２０】二股楔板５の正面図
【図２１】二股楔板５の正面図２０の下平面図
【図２２】二股楔板５の正面図２０の左側面図
【図２３】他の実施例の右ブラケット４１の外形図
【図２４】他の実施例の右ブラケット４１の部分断面図
【図２５】他の実施例の左ブラケット４２の外形図
【考案を実施するための形態】
【００１４】本発明のバイオリン肩当ては、バイオリン裏板の縁を左右から掴んで支える引掛けフックおよび引掛けフックの脱落防止機構を具備し、左右の引掛けフック下端にはオネジを具備し、引掛けフックは下端のオネジを介してブラケットと嵌合し、左右の引掛けフックの間には、ブラケットを介して細長く連結する肩当て本体を具備し、ブラケットの内部には肩当て底面を胸の急斜面に密着させる自律的回動機構を具備し、肩当て本体の最上部で両端にブラケットを配設するに必要な強度を備えた特定素材の薄板で肩から胸に沿い細長い形状の天板を具備し、天板裏で天板の強度不足を補強する丈夫な構造の肩当て梁を具備し、肩当て梁の構成として、天板と同形状の上面を有し、肩クッション部の土台となる鎖骨周辺で荷重を受ける平坦底面形状の細長い箱形部と、細長い箱形部の底面に対し湾曲し捻じれて連なる胸の急傾斜面に密着する急傾斜底面を備えた三角柱形部とで肩当て梁を構成し、肩当て梁の内部を柔軟素材で充填する構成とし、細長い箱形部とそれに連なる三角柱形部の身体に接触しない外側の肩当て梁外壁面を構成する丈夫な外殻と細長い箱形部の四角形端面および首側壁面を構成する丈夫な外殻と三角柱形部の急傾斜底面および三角形端面を構成する丈夫な外殻を連ねた丈夫な肩当て外殻を音響雑音の出ない特定素材で構成し、細長い箱形部の底面と三角柱形部の底面を連ねた肩当て底面の上に接合する機能部品として肩当て底面シートを具備し、肩当て底面シートの内部構成として、細長い箱形部の上に特定素材で構成した肩クッション部を配設すると共に三角柱形部の急傾斜底面の上に特定素材で構成した滑り止めネット部を連結して配設した肩当て底面シートを肩当て梁の底面の上に交換可能に接合する。引掛けフックの内部構造として、各々の引掛けフックの両端にバイオリン裏板の縁に引掛ける鈎と、鈎を両端に配設した鈎基板を具備し、鈎基板には肩当て本体側に突き出るオネジ部を具備し、引掛けフックのオネジ部と嵌合するブラケットを具備し、ブラケットには引掛けフックのオネジ部と嵌合するメネジ部を具備し、引掛けフックに複数種類の脱落防止機構を有し、引掛けフックの第一の脱落防止機構として、天板中央に配設した輪ゴム留め具を具備し、引掛けフックの両端に輪ゴム留め鈎を具備し、第一の輪ゴムの一端を天板の輪ゴム留め具に締結し、第一の輪ゴムの他端を引掛けフックの片側の輪ゴム留め鈎に係留して引掛けフックをバイオリン裏板の縁に押し付ける動力機構を構成し、引掛けフックの第二の脱落防止機構として、引掛けフックの第二の脱落防止機構として、鈎基板の表裏を挟んで摺動する二股楔板を配設し、バイオリン裏板の縁を引掛けフックの鈎と二股楔板で確実に掴む機構を構成し、二股楔板の内部構成として、鈎基板の表面を摺動する楔部と鈎基板の裏面を摺動する二股楔裏板と、バイオリン裏板の外側で楔部と二股楔裏板を連結する二股楔板連結部を構成し、楔部の裏面に鈎基板の表面上を摺動する摺動面を形成し、鈎基板と二股楔板の着脱で干渉を避けるため二股楔裏板の中央部に鈎基板のオネジ部がブラケット側に突き出るよう開口部を明けると共に楔部の長さを二股楔裏板の長さより短く構成し、第二の輪ゴムの一端を二股楔板連結部に巻き付けると共に第二の輪ゴムの他端を引掛けフックのオネジ部に輪形状に引張り回して二股楔板連結部を鈎基板の外側端面に引き寄せる動力機構を構成してバイオリン裏板の縁を引掛けフックの鈎と二股楔板で確実に掴む第二の脱落防止手段を構成し、引掛けフックの第三の脱落防止機構として、第三の輪ゴムの一端を天板中央の輪ゴム留め具に締結し、エンドピンに第三の輪ゴムの他端を接合し、肩当てが脱落してもエンドピンに垂下し落下を防止する引掛けフックの第三の脱落防止機構構造を構成し、以上を主要とする複数の脱落防止機構を具備する。自律的回動機構の内部構造として、外力が作用しないとスプリング力で閉まるスプリング蝶番を具備し、スプリング蝶番の開閉関節を天板の湾曲の首側と反対の外側に向け、スプリング蝶番の一方の翼を天板の両端に接合し、スプリング蝶番の他方の翼に引掛けフックのブラケットを接続して構成する。肩当て底面シートの内部構造として、肩当て底面と同形状で可撓性の合成樹脂で構成した薄い基板シートを具備し、基板シートの表側に二種類の機能部品を配設して肩当て底面シートを構成し、第一の機能部品として鎖骨から大胸筋鎖骨部を緩衝素材で柔かく覆う肩クッション部を基板シートの表側に接合し、第二の機能部品として合成樹脂の丈夫な芯糸で編んだネットに滑り止め効果が出る程度に可塑化した塩化ビニール等を被覆したネットを肩クッション部の残りの基板シート上に接合して滑り止めネット部を構成し、肩クッション部と滑り止めネット部を連結した肩当て底面シートを構成する。天板と、細長い箱形部とそれに連なる三角柱形部の身体に接触しない外側の肩当て梁外壁面を構成する丈夫な外殻と細長い箱形部の四角形端面および首側壁面を構成する丈夫な外殻と三角柱形部の急傾斜底面および三角形端面を構成する丈夫な外殻を連ねた丈夫な肩当て外殻に適用する音響雑音を出さない特定素材として、カリン等の硬質木材または類似物性の合成樹脂あるいは制振合金等を音響雑音を出さない厚さ数ｍｍ以下に成形した薄板、またはバイオリンより低音音響の硬さに可塑化した合成樹脂を成形した薄板を組合せ、更に肩当て梁の最外殻を皮や布地あるいは丈夫な包装フィルムで被覆して補強を構成する。
【実施例】
【実施例の構成】
【００１５】実施例の構成は、図１、図３、図４．図５、図６、図７、図８、図９、図１０、図１１、図１２、図１３、図１４、図１５、図１６、図１７、図１８、図１９、図２０、図２１および図２２に図示するごとく、バイオリンの肩当て１において、バイオリン裏板を左右から挟んで支える引掛けフック２および引掛けフック２の脱落防止機構を具備し、左右の引掛けフック２下端にはオネジ部４を具備し、引掛けフック２は下端のオネジ部４を介してブラケット６と嵌合し、左右の引掛けフック２の間には、ブラケット６を介して細長く連結する肩当て本体３を具備し、ブラケット６の内部には肩当て底面１１を胸の急傾斜面に密着させる自律的回動機構を具備し、肩当て本体３の最上部両端においてブラケット６を締結する硬い特定素材を用いて肩から胸に沿い細長い薄板構造の天板９を具備し、天板９裏を天板９が折れない様に支える適度に丈夫な肩当て梁１０を具備し、肩当て梁１０の内部構成として、天板９と同形状の上面を有し、肩当て底面１１を胸の急傾斜面に密着させる形状構造として肩クッション部１６の土台となる鎖骨周辺で荷重を受ける平坦底面形状の細長い箱形部３０と、細長い箱形部３０に対し湾曲し捻じれて連なる胸の急傾斜面に密着する急傾斜底面１４を備えた三角柱形部３１とで構成し、肩当て梁１０の内部を柔軟素材２０で充填し、同時に外周を補強する役割の細長い箱形部３０とそれに連なる三角柱形部３１の身体に接触しない側の肩当て外壁面３８を構成する丈夫な外殻と、細長い箱形部３０の四角形端面３９および首側壁面２２を構成する丈夫な外殻と、三角柱形部３１の急傾斜底面１４および三角形端面２４を構成する丈夫な外殻を連ねた丈夫な肩当て外殻１２を音響雑音の出ない特定素材で構成し、細長い箱形部３０の底面と三角柱形部３１の底面を連ねた肩当て底面１１の上に接合する部品として肩当て底面シート１５を具備し、肩当て底面シート１５の内部構成として、細長い箱形部３０の上に特定素材で構成した平坦な底面形状の肩クッション部１６を配設すると共に三角柱形部３１の急傾斜底面１４の上に特定素材で構成した滑り止めネット部１７を連結して配設した肩当て底面シート１５を肩当て梁１０の肩当て底面１１の上に接合する。引掛けフック２の内部構造として、各々の引掛けフック２の両端にバイオリン裏板の縁に引掛ける鈎３３と、両端に鈎３３を配設した鈎基板３２を具備し、鈎基板３２には肩当て本体３側に突き出るオネジ部４を具備し、引掛けフック２のオネジ部４と嵌合するブラケット６を具備し、ブラケット６には引掛けフック２のオネジ部４と嵌合するメネジ部７を具備し、引掛けフック２の複数種類の脱落防止機構を有し、引掛けフック２の第一の脱落防止機構として天板９中央に配設した輪ゴム留め具１８を具備し、引掛けフック２の両端に第一の輪ゴム１９の留め鈎３４を具備し、第一の輪ゴム１９の一端を天板９の輪ゴム留め具１８に締結し、第一の輪ゴム１９の他端を引掛けフック２の留め鈎３４の片側に係留する構造とし、引掛けフック２の第二の脱落防止機構として、鈎基板３２の表裏を挟んで摺動する二股楔板５を配設し、二股楔板５と引掛けフック２の鈎３３でバイオリン裏板の縁を確実に掴む機構を構成し、二股楔板５の内部構成として鈎基板３２の表面上を摺動する楔部２６と、鈎基板３２の裏面上を摺動する二股楔裏板２７と、バイオリン裏板の外側で楔部２６と二股楔裏板２７を連結する二股楔板連結部２９を構成し、楔部２６の裏面に鈎基板３２の上を摺動する摺動面３５を形成し、鈎基板３２と二股楔板５の着脱で干渉を避けるため二股楔裏板２７の中央部に鈎基板３２のオネジ部４がブラケット６側に突き出るよう開口部３６を明けると共に楔部２６の長さを二股楔裏板２７の長さより短く構成し、第二の輪ゴム１９の一端を二股楔板連結部２９に巻き付けると共に第二の輪ゴム１９の他端を鈎基板３２のオネジ部４に輪形状に引張り回して二股楔板連結部２９を鈎基板３２の外側端面に引き寄せる動力機構を構成してバイオリン裏板の縁を引掛けフック２の鈎３３と二股楔板５で確実に掴む第二の脱落防止手段を構成し、引掛けフック２の第三の脱落防止機構として、第三の輪ゴム１９一端を天板９中央の輪ゴム留め具１８に締結し、エンドピン２３に第三の輪ゴム１９の他端を係留し、肩当てが脱落してもエンドピン２３に垂下し落下を防止する第三の脱落防止手段とし、以上を主要とする複数種類の脱落防止機構を具備する。肩当て底面１１を胸の急傾斜面に密着させる自律的回動機構の内部構造として、外力が作用しないと捩りコイルバネ３７により蝶番関節２８が閉まりストッパ４０に当たり閉鎖停止するスプリング蝶番８を配設し、スプリング蝶番８の蝶番関節２８を天板９の湾曲の首側と反対の外側に向け、スプリング蝶番８の一方の翼を天板９の両端に接合し、スプリング蝶番８の他方の翼にブラケット６を接続して構成する。肩当て底面シート１５の内部構造として、肩当て底面１１と同形状で可撓性の合成樹脂で構成した薄い基板シート１３を具備し、基板シート１３の表側に二種類の機能部品を配設して肩当て底面シート１５を構成し、第一の機能部品として鎖骨から大胸筋鎖骨部を緩衝素材で柔かく覆う肩クッション部１６を基板シート１３の表側に接合し、第二の機能部品として合成樹脂の丈夫な芯糸で編んだネットに滑り止め効果のある程度に可塑化した塩化ビニール等を被覆して形成したネットを肩クッション部１６の残りの基板シート１３上に接合して滑り止めネット部１７を構成し、肩クッション部１６と滑り止めネット部１７を連結した肩当て底面シート１５を構成する。天板９と、肩当て外周を補強する役割の細長い箱形部３０とそれに連なる三角柱形部３１の身体に接触しない側の肩当て外壁面３８を構成する丈夫な外殻と、細長い箱形部３０の四角形端面３９および首側壁面２２を構成する丈夫な外殻と、三角柱形部３１の急傾斜底面１４および三角形端面２４を構成する丈夫な外殻を連ねた丈夫な肩当て外殻１２に適用する音響雑音の出ない特定素材として、カリン等の硬質木材または類似物性の合成樹脂あるいは制振合金等を音響雑音の出ない厚さ数ｍｍ以下に成形した薄板、またはバイオリンより低音音響になる硬さに可塑化した合成樹脂を成形した薄板を組合せ、更に肩当て梁１０の最外殻を皮や布地あるいは丈夫な包装フィルムで被覆して補強を構成する。
【実施例の作用】
【００１６】平坦な鎖骨周辺から胸の急斜面まで形状適合する肩当て底面１１の形状構造とスプリング蝶番８による自律的回動機構を組合せた実施例の構成により、胸の急傾斜面で滑り止めネット部１７を密着させバイオリン荷重を支える事が可能になり、バイオリン荷重を支える顎の力を軽減しながら、左手親指でバイオリン指板の裏を支える力も微小にする作用１が生じる。
【００１７】引掛けフック２の第一の脱落防止手段と、第二の脱落防止手段と、第三の脱落防止手段を組合せた実施例の構成により、関節痛等の防止のために肩当て位置を首近くに寄せ、左右の引掛けフック２の間隔を短く脱落し易く設置しても、肩当て脱落の危険を解消する作用２が生じる。
【００１８】肩当てに特定素材を組合せて構成する実施例の構成により、バイオリンが発生する本物の音響を妨害する肩当ての音響雑音を無くす作用３が生じる。
【他の実施例の構成】
【００１９】図１のブラケット６にスプリング蝶番８を使用する自律的回動機構に対する他の実施例の構成として、図２３および図２４に示す胸の急傾斜面上で支える右ブラケット４１および図２５に示す鎖骨近くで支える左ブラケット４２を具備し、右ブラケット４１および左ブラケット４２には天板９に取り付けるＬ型基板５０を具備し、Ｌ型基板５０にはスプリング蝶番８の蝶番関節２８と同軸方向に回転する回転軸４６を配設し、回転軸４６の末端に引掛けフック２の下端のオネジ部４と嵌合するメネジ部７を形成し、右ブラケット４１および左ブラケット４２に内蔵された回転軸４６のメネジ部７は天板９の外側に位置するように配設し、右ブラケット４１に内蔵された回転軸４６のメネジ部７と反対側の軸外周にはスプリング蝶番８と同方向に回転力を発生させる捩りコイルバネ左巻４５を配設し、左ブラケット４２に内蔵された回転軸４６のメネジ部７と反対側の軸外周にはスプリング蝶番８と同方向に回転力を発生させる捩りコイルバネ右巻４４を配設し、Ｌ型基板５０の頂上にはオネジ部４の回動範囲を制限するストッパ４０を配設し、回転軸４６の捩りコイルバネ右巻４４および捩りコイルバネ左巻４５の一端を差し込み固定する箇所にはバネ止め穴４７を成形し、Ｌ型基板５０の回転軸４６取り付け穴の周囲には複数のバネ力調整穴４８を明け、捩りコイルバネ右巻４４および捩りコイルバネ左巻４５の一端をバネ止め穴４７に差し込み固定し、コイルバネ右巻４４および捩りコイルバネ左巻４５の他端を複数のバネ力調整穴４８の適当な穴に差し込み固定し、回転軸４６のコイルバネ右巻４４および捩りコイルバネ左巻４５を取り付け、捩りコイルバネの押えと回転軸４６の抜け止めのために、間隔リング４３を回転軸４６の上に被せ、回転軸４６の軸端に形成したネジ部にナット４９を嵌合して間隔リング４３と捩りコイルバネ左巻４５および捩りコイルバネ右巻４４を固定し、右ブラケット４１および左ブラケット４２の自律的回動機構を構成する。
【他の実施例の作用】
【００２０】自律的回動機構の他の実施例の作用は，スプリング蝶番８を無くす代わりに捩りコイルバネ右巻４４および捩りコイルバネ左巻４５の動力で、空中では肩当て外壁面３８の先端が図１５のように爪先立ち状態になり、胸の急斜面に着地後は、最終的に図１６のごとく肩当て底面１１の全面が胸の急斜面に密着するまで回動し、スプリング蝶番８による自律的回動機構と同等の作用が生じる。
【産業上の利用可能性】
【００２１】第一に、鎖骨周辺から胸の急傾斜面まで広範囲に支える形状構造と、肩当てを胸の急斜面に密着させる自律的回動機構と、引掛けフックの脱落防止機構により、肩周辺の筋肉痛等の危険を解消する事で、一般演奏者にも高度の演奏が容易になり、第二に、バイオリン本来の音響を阻害する肩当ての音響雑音を解消する事で、広範囲のバイオリン演奏愛好者を増加し、バイオリン関連産業を振興する効果を提供する。
【符号の説明】
【００２２】１・・・肩当て
２・・・引掛けフック
３・・・肩当て本体
４・・・オネジ部
５・・・二股楔板
６・・・ブラケット
７・・・メネジ部
８・・・スプリング蝶番
９・・・天板
１０・・・肩当て梁
１１・・・肩当て底面
１２・・・肩当て外殻
１３・・・基板シート
１４・・・急傾斜底面
１５・・・肩当て底面シート
１６・・・肩クッション部
１７・・・滑り止めネット部
１８・・・輪ゴム留め具
１９・・・輪ゴム
２０・・・柔軟素材
２１・・・顎当て
２２・・・首側壁面
２３・・・エンドピン
２４・・・三角形端面
２５・・・人体表面
２６・・・楔部
２７・・・二股楔裏板
２８・・・蝶番関節
２９・・・二股楔板連結部
３０・・・細長い箱形部
３１・・・三角柱形部
３２・・・鈎基板
３３・・・鈎
３４・・・留め鈎
３５・・・摺動面
３６・・・開口部
３７・・・捩りコイルバネ
３８・・・肩当て外壁面
３９・・・四角形端面
４０・・・ストッパ
４１・・・右ブラケット
４２・・・左ブラケット
４３・・・間隔リング
４４・・・捩りコイルバネ右巻
４５・・・捩りコイルバネ左巻
４６・・・回転軸
４７・・・バネ止め穴
４８・・・バネ力調整穴
４９・・・ナット
５０・・・Ｌ型基板
【手続補正３】
【補正対象書類名】図面
【補正対象項目名】全図
【補正方法】変更
【補正の内容】
【図１】
0003167469.tif 000027
【図２】
0003167469.tif 000028
【図３】
0003167469.tif 000029
【図４】
0003167469.tif 000030
【図５】
0003167469.tif 000031
【図６】
0003167469.tif 000032
【図７】
0003167469.tif 000033
【図８】
0003167469.tif 000034
【図９】
0003167469.tif 000035
【図１０】
0003167469.tif 000036
【図１１】
0003167469.tif 000037
【図１２】
0003167469.tif 000038
【図１３】
0003167469.tif 000039
【図１４】
0003167469.tif 000040
【図１５】
0003167469.tif 000041
【図１６】
0003167469.tif 000042
【図１７】
0003167469.tif 000043
【図１８】
0003167469.tif 000044
【図１９】
0003167469.tif 000045
【図２０】
0003167469.tif 000046
【図２１】
0003167469.tif 000047
【図２２】
0003167469.tif 000048
【図２３】
0003167469.tif 000049
【図２４】
0003167469.tif 000050
【図２５】
0003167469.tif 000051